(57)【要約】【課題】放送バンドが変わるチャンネルにおいて、チューナの動作を不安定とすることなくプリセットを安定して行うことができる自動選局装置を提供することである。【解決手段】自動選局装置１０に、チャンネルプランに基づく各チャンネルを選択して受信するチューナに所定の周波数を設定する周波数設定手段と、チューナが各チャンネルを受信したか否か検出することによりプリセットするプリセット手段を設ける。そして、各チャンネルのプリセットを行うにあたり、基本とする一のチャンネルプランに基づいて順に行うとともに、放送バンドが変わるチャンネルについては一のチャンネルプラン以外の他のチャンネルプランに基づいて行う。【選択図】  図１
2004193778.tif 000002
【特許請求の範囲】
【請求項１】
複数の放送バンドにわたってチャンネルが存在するチャンネルプランの複数に基づく各チャンネルをチューナにより選択して受信する機器に用いられる自動選局装置であって、
前記各チャンネルを受信するための所定の周波数を前記チューナに設定する周波数設定手段と、
前記周波数設定手段により設定された所定の周波数に対するチャンネルを前記チューナが受信するか否か検出することにより、前記各チャンネルをプリセットするプリセット手段とを備え、
前記複数のチャンネルプランのうち、前記プリセットを行う基本とする一のチャンネルプランに基づき中心周波数の低いチャンネルより順に前記プリセットを行い、一の放送バンドから他の放送バンドに変わる最初のチャンネルに対して前記基本とする一のチャンネルプラン以外の他のチャンネルプランに基づいてプリセットを行うことを特徴とする自動選局装置。
【請求項２】
前記放送バンドが変わる最初のチャンネルに対して、前記他のチャンネルプランに基づいてプリセットを行うとともに、前記基本とする一のチャンネルプランに基づくプリセットも行うことを特徴とする請求項１に記載の自動選局装置。
【請求項３】
前記放送バンドが変わる最初のチャンネルに対して、前記他のチャンネルプランに基づくプリセットを行った後に、前記基本とする一のチャンネルプランに基づくプリセットを行うことを特徴とする請求項２に記載の自動選局装置。
【請求項４】
複数の放送バンドにわたってチャンネルが存在するチャンネルプランの複数に基づく各チャンネルをプリセットするプリセット方法であって、
前記チャンネルを受信するための所定の周波数をチューナに設定する第一の工程と、
前記第一の工程により設定された所定の周波数に対するチャンネルを前記チューナが受信するか否か検出することにより前記チャンネルをプリセットする第二の工程とを備え、
前記複数のチャンネルプランのうち、基本とする一のチャンネルプランに基づき中心周波数の低いチャンネルより順に前記プリセットを行い、一の放送バンドから他の放送バンドに変わる最初のチャンネルに対して前記基本とする一のチャンネルプラン以外の他のチャンネルプランに基づいてプリセットを行うことを特徴とするプリセット方法。
【請求項５】
前記放送バンドが変わる最初のチャンネルに対して、前記他のチャンネルプランに基づくプリセットを行った後に、前記基本とする一のチャンネルプランに基づくプリセットを行うことを特徴とする請求項４に記載のプリセット方法。
【発明の詳細な説明】
【０００１】
【発明の属する技術分野】
本発明は、放送局よりチャンネルプランに基づき放送されるチャンネルをプリセットする自動選局装置、及びプリセット方法に関する。
【０００２】
【従来の技術】
テレビ等の放送波を受信して動作する機器では、受信するチャンネルやその周波数はチャンネルプランによって予め定められている。しかし、受信することができるチャンネルやその周波数は、地域によっても異なる。
【０００３】
そのため、一般に、受信するチャンネルやその周波数を設定し直し、あるいは受信できないチャンネルであることを決定するためのプリセットが行われる。
【０００４】
【発明が解決しようとする課題】
ところで、チャンネルプランにより定められる各チャンネルは、複数の放送バンドにわたって存在している。即ち、各チャンネルは、相対的に低い周波数を帯域とする放送バンドから高い周波数を帯域とする放送バンドの複数の放送バンドにわたって存在している。
【０００５】
そして、各チャンネルをプリセットする場合に、一つの放送バンドから他の放送バンドに変わるところで、チューナの動作が不安定となり安定してプリセットを行えないことがある。
【０００６】
そこで、本発明は、各チャンネルのプリセットを安定して行うことができる自動選局装置、及びプリセット方法を提供することを目的とする。
【０００７】
【課題を解決するための手段】
上記課題を解決するため、本発明は、複数の放送バンドにわたってチャンネルが存在するチャンネルプランの複数に基づく各チャンネルをチューナにより選択して受信する機器に用いられる自動選局装置であって、
前記各チャンネルを受信するための所定の周波数を前記チューナに設定する周波数設定手段と、
前記周波数設定手段により設定された所定の周波数に対するチャンネルを前記チューナが受信するか否か検出することにより、前記各チャンネルをプリセットするプリセット手段とを備え、
前記複数のチャンネルプランのうち、前記プリセットを行う基本とする一のチャンネルプランに基づき中心周波数の低いチャンネルより順に前記プリセットを行い、一の放送バンドから他の放送バンドに変わる最初のチャンネルに対して前記基本とする一のチャンネルプラン以外の他のチャンネルプランに基づいてプリセットを行うことを特徴とする自動選局装置である（請求項１）。
【０００８】
本発明によると、各チャンネルを前記基本とする一のチャンネルプランに基づいて順にプリセットし、放送バンドが一の放送バンドから他の放送バンドに変わる最初の一つのチャンネルに対しては、基本とする一のチャンネルプラン以外の他のチャンネルプランに基づいてプリセットを行う。
【０００９】
これにより、放送バンドが一の放送バンドから他の放送バンドに変わるチャンネルを受信する場合に、チューナの動作が不安定となることなく、チューナが安定して受信することができる。これにより、プリセットを安定して行うことができる。
【００１０】
また、前記放送バンドが変わる最初のチャンネルに対して、前記他のチャンネルプランに基づいてプリセットを行うとともに、前記基本とする一のチャンネルプランに基づいてプリセットを行うこともできる（請求項２）。
【００１１】
これにより、前記放送バンドが変わる最初のチャンネルについて、他のチャンネルプランに基づくプリセットを行うとともに、基本とする一のチャンネルプランに基づくプリセットを行うこともできる。
【００１２】
また、前記放送バンドが変わる最初のチャンネルに対して、前記他のチャンネルプランに基づいてプリセットを行うとともに、前記基本とする一のチャンネルプランに基づいてプリセットを行う場合に（請求項２）、前記他のチャンネルプランに基づくプリセットを行った後に、前記基本とする一のチャンネルプランに基づくプリセットを行うことができる（請求項３）。
【００１３】
これにより、前記放送バンドが変わる最初のチャンネルについて、前記他のチャンネルプランに基づくプリセットを行った後に、前記基本とする一のチャンネルプランに基づくプリセットを行うことができる。これにより、前記放送バンドが変わる最初のチャンネルについて、より確実にプリセットを行うことができる。
【００１４】
また、本発明は、複数の放送バンドにわたってチャンネルが存在するチャンネルプランの複数に基づく各チャンネルをプリセットするプリセット方法であって、
前記チャンネルを受信するための所定の周波数をチューナに設定する第一の工程と、
前記第一の工程により設定された所定の周波数に対するチャンネルを前記チューナが受信するか否か検出することにより前記チャンネルをプリセットする第二の工程とを備え、
前記複数のチャンネルプランのうち、基本とする一のチャンネルプランに基づき中心周波数の低いチャンネルより順に前記プリセットを行い、一の放送バンドから他の放送バンドに変わる最初のチャンネルに対して前記基本とする一のチャンネルプラン以外の他のチャンネルプランに基づいてプリセットを行うことを特徴とするプリセット方法である（請求項４）。
【００１５】
本発明によると、各チャンネルのプリセットを、基本とする一のチャンネルプランに基づいて順に行い、放送バンドが一の放送バンドから他の放送バンドに変わる最初の一つのチャンネルに対しては、基本とする一のチャンネルプラン以外の他のチャンネルプランに基づいてプリセットを行う。
【００１６】
これにより、放送バンドが他の放送バンドに変わるチャンネルを受信する場合に、チューナの動作を不安定とすることなく、チューナが安定して受信することができる。これにより、プリセットを安定して行うことができる。
【００１７】
また、前記プリセット方法において、前記放送バンドが変わる最初のチャンネルに対して、前記他のチャンネルプランに基づくプリセットを行った後に、前記基本とする一のチャンネルプランに基づくプリセットを行うことができる（請求項５）。
【００１８】
この発明によると、前記放送バンドが変わる最初のチャンネルについて、他のチャンネルプランに基づくプリセットに加えて、基本とする一のチャンネルプランに基づくプリセットを行うこともできる。そして、前記放送バンドが変わる最初のチャンネルに対して、他のチャンネルプランに基づくプリセットを行った後に、基本とする一のチャンネルプランに基づくプリセットを行うので、より確実にプリセットを行うことができる。
【００１９】
【発明の実施の形態】
本発明の実施の形態について、図１乃至図５に基づいて説明する。図１は、本発明の一実施形態である自動選局装置１０の構成の概略を示すブロック図である。
【００２０】
本発明の一実施形態であるプリセット方法は、以下に説明する自動選局装置１０により実施することができる。図１に示される自動選局装置１０は、テレビの放送波を受信するテレビ受像機に用いられる。
【００２１】
そして、テレビ受像機として用いるにあたり、図１に図示されない信号処理回路や陰極線管（ＣＲＴ）等が設けられ、自動選局装置１０によって選局されたチャンネルの映像信号に基づいて前記陰極線管に映像が表示される。
【００２２】
図１において、１はアンテナであり、２はチューナである。アンテナ１は、各放送局より送信される各チャンネルの放送波を受信する。
【００２３】
チューナ２は、受信しようとするチャンネルの選択に応じて所定の周波数が設定されると、アンテナ１が受信する各チャンネルの放送波のうち設定された所定の周波数の信号を取り出して所定の処理を行い、中間周波数信号（ＩｎｔｅｒｍｅｄｉａｔｅＦｒｅｑｕｅｎｃｙ信号（ＩＦ信号））を出力する。そして、チューナ２内でＩＦ信号がＰＬＬ（Ｐｈａｓｅ  Ｌｏｃｋｅｄ  Ｌｏｏｐ（位相同期ループ））に出力されると、チューナ２より後に説明する選局制御マイコン５に映像信号が出力される。
【００２４】
自動選局装置１０は、以下に説明するように、放送されるチャンネルを受信するための所定の周波数をチューナ２に設定する周波数設定手段、及び各チャンネルをプリセットするプリセット手段を備えている。
【００２５】
自動選局装置１０は、選局制御マイコン５と外部メモリ６を備えている。選局制御マイコン５は、チューナ２に選局周波数を設定し、また後に説明するチャンネルプランに基づく各チャンネルに対するプリセットを実行する。
【００２６】
選局制御マイコン５は、図示しないＲＯＭ（読み出し専用メモリ）やＲＡＭ（読み書き可能メモリ）を内部に備えている。選局制御マイコン５のＲＯＭにはプリセットプログラムが格納されている。選局制御マイコン５がプリセットプログラムを実行することにより、各チャンネルのプリセットが実行される。
【００２７】
また、このプリセットプログラムを実行することにより、チューナ２に選局周波数が設定される。チューナ２の選局周波数は、受信しようとするチャンネルについて、後に説明するチャンネルプランによる各チャンネルの中心周波数のデータに基づく所定の周波数が設定される。
【００２８】
また、設定された選局周波数に対するチャンネルをチューナ２が受信し、映像信号が選局制御マイコン５に入力されると、入力された映像信号に基づきプリセットプログラムが同調の有無を検出する。
【００２９】
また、選局制御マイコン５のＲＯＭには、チャンネルプランに関するデータが記憶されている。図２乃至図４は、ＲＯＭに記憶されるチャンネルプランの例を示している。図２乃至図４は、ＣＡＴＶモード（ケーブルテレビモード）における第一のチャンネルプラン（ＨＲＣ）、第二のチャンネルプラン（ＳＴＤ）、第三のチャンネルプラン（ＩＲＣ）を示している。
【００３０】
図２には、三つのチャンネルプランの各々についての００２チャンネルから０３６チャンネルの映像周波数（中心周波数）が示される。図３には、三つのチャンネルプランについての０３７チャンネルから０７７チャンネルの映像周波数（中心周波数）が示される。また、図４には、三つのチャンネルプランについての０７８チャンネルから１２５チャンネルの映像周波数（中心周波数）が示される。
【００３１】
図２に示される三つのチャンネルプランにおいて、００２チャンネルから０１５チャンネルは第一の放送バンドに属する。また、図２及び図３に示される０１６チャンネルから０４７チャンネルは第二の放送バンドに属する。また、図３及び図４に示される０４８チャンネルから１２５チャンネルは第三の放送バンドに属する。
【００３２】
図２乃至図４に示される３つのチャンネルプランについて、００５チャンネル及び００６チャンネルを除き、同じチャンネルで比較すると第一のチャンネルプランに基づく各チャンネルの中心周波数が最も低い。
【００３３】
一方、００５及び００６チャンネルについては、図２に示されるように第二のチャンネルプランにおける中心周波数が最も低く、第三のチャンネルプランにおける中心周波数が最も高い。
【００３４】
また、選局制御マイコン５には、外部メモリ６が接続されている。外部メモリ６は、Ｅ２ＰＲＯＭ等により構成することができる。外部記憶メモリ６には、プリセットを行うことによって検出された各チャンネルを受信するか否かに関するデータや、受信が検出されたチャンネルを受信する周波数が記憶される。
【００３５】
以下に、自動選局装置１０を動作させる例について説明する。自動選局装置１０を動作させる例として、図２乃至図４に示されるチャンネルプランに基づく各チャンネルのプリセットを行う例により説明する。
【００３６】
図５は、第一のチャンネルプラン（ＨＲＣ）を基本のチャンネルプランとしてプリセットを行う手順を示すフローチャートである。この図５は、プリセットプログラムに含まれる手順の一部を示している。
【００３７】
図１に示されるアンテナ１及びチューナ２とともに自動選局装置１０を動作させると、選局制御マイコン５によりプリセットプログラムの実行が開始される（ＳＴＡＲＴ、Ｓ１）。
【００３８】
プリセットプログラムの実行を開始すると、チャンネル（ＣＨ）を識別するためのチャンネルインデックスの初期値として１が設定される。また、カウント（ＣＯＵＮＴ）の初期値として１が設定される。
【００３９】
チャンネルインデックスは、プリセットを行うチャンネルの順に対応しており、中心周波数の低いチャンネルから中心周波数の高いチャンネルの順に一つづつ増加させるように各チャンネルに割り当てられている。
【００４０】
まず、チャンネルインデックスとして１が割り当てられる００２チャンネルのプリセットを行う。チャンネル（ＣＨ）が００５チャンネル又は００６チャンネルか否か判断する（Ｓ２）。
【００４１】
チャンネルが００５チャンネル又は００６チャンネルのいずれでもない場合（Ｓ２、ＮＯ）、チャンネル（ＣＨ）が０１６チャンネル又は０４８チャンネルか否か判断する（Ｓ３）。
【００４２】
次に、チャンネルが０１６チャンネル又は０４８チャンネルのいずれでもない場合（Ｓ３、ＮＯ）、第一のチャンネルプランの現在のチャンネルの中心周波数に１２５ｋＨｚ加えた周波数を選局データ（選局周波数）とする（Ｓ６）。
【００４３】
Ｓ６において設定された選局データをチューナ（ＴＵＮＥＲ）２に送信し（Ｓ７）、６００ｍｓ待機（ＷＡＩＴ）する（Ｓ８）。次に、チューナ内でＩＦ信号がＰＬＬ（位相同期ループ）に出力されることによって映像信号がマイコン５に入力され、この映像信号によって同調の有無を検出する（Ｓ９）。
【００４４】
同調有りと検出されると（Ｓ９、ＹＥＳ）、現在のチャンネル（ＣＨ）をスキップチャンネルオフ（ＳＫＩＰ  ＣＨ  ＯＦＦ）とする（Ｓ１０）。これにより、現在のチャンネルのデータとして、チャンネルプランの種別とチャンネルと選局データとが記憶される。そして、カウント（ＣＯＵＮＴ）に１を設定する（Ｓ１１）。
【００４５】
一方、Ｓ９において、同調有りと検出されない場合（Ｓ９、ＮＯ）、現在のチャンネル（ＣＨ）をスキップチャンネルオン（ＳＫＩＰ  ＣＨ  ＯＮ）とする（Ｓ１２）。これにより、チャンネルプランの種別とチャンネルとが受信できないチャンネルのデータとして記憶される。
【００４６】
また、Ｓ９において、同調有りと検出されない場合に（Ｓ９、ＮＯ）、このチャンネルをユーザーが選択できないようスキップさせるように設定することもできる。この設定を行うと、ユーザーがチャンネルを選択する操作を行う場合、このチャンネルは飛ばされることになる。
【００４７】
例えば、アップ／ダウンキー等の操作に応じて順次に指定されるチャンネルから特定のチャンネルを選択できるようにされている場合、前記スキップさせるよう設定されたチャンネルは、自動的に飛ばされてユーザーによる選択の対象から除外される。
【００４８】
次に、現在のチャンネル（ＣＨ）が１２５チャンネルか否か判断する（Ｓ１３）。チャンネルが１２５チャンネルでない場合（Ｓ１３、ＮＯ）、カウント（ＣＯＵＮＴ）が２か否か判断する（Ｓ１４）。
【００４９】
そして、カウントが２でない場合には（Ｓ１４、ＮＯ）、チャンネルインデックスを一つ増加させ、次にプリセットを行うチャンネル（ＣＨ）に一つ進める（Ｓ１５）。
【００５０】
次に、第一のチャンネルプラン（ＨＲＣ）の００３チャンネルから００１チャンネルの各々に対するプリセットを順に行う。これらの各チャンネルは、以上に説明した００２チャンネルをプリセットした手順と同じ手順を実行することにより、プリセットすることができる。
【００５１】
次に、現在のチャンネルに００５チャンネルが設定されると、Ｓ２において００５チャンネルであると判断し（Ｓ２、ＹＥＳ）、カウント（ＣＯＵＮＴ）が１か否か判断する（Ｓ２１）。
【００５２】
カウントが１である場合（Ｓ２１、ＹＥＳ）、第二のチャンネルプラン（ＳＴＤ）における００５チャンネルの中心周波数を選局データとして設定する（Ｓ２２）。そして、カウント（ＣＯＵＮＴ）を２に設定する（Ｓ２３）。
【００５３】
次に、Ｓ２２で設定された選局データをチューナ２に送信し（Ｓ７）、６００ｍｓ待機する（Ｓ８）。次に、同調の有無を検出する（Ｓ９）。
【００５４】
同調有りと検出されると（Ｓ９、ＹＥＳ）、スキップチャンネルオフ（ＳＫＩＰ  ＣＨ  ＯＦＦ）とする（Ｓ１０）。これにより、現在のチャンネルのデータとして、チャンネルプランの種別とチャンネルと選局データとが記憶される。そして、カウントに１を設定する（Ｓ１１）。
【００５５】
次に、現在のチャンネルが１２５チャンネルか否か判断し（Ｓ１３）、１２５チャンネルでない場合（Ｓ１３、ＮＯ）、カウントが２か否か判断する（Ｓ１４）。カウントが２でない場合（Ｓ１４、ＮＯ）、チャンネルインデックスを一つ増加させ、チャンネル（ＣＨ）を次にプリセットを行うチャンネルに一つ進める（Ｓ１５）。
【００５６】
一方、Ｓ９において、同調有りと検出されなかった場合（Ｓ９、ＮＯ）、第二のチャンネルプランの００５チャンネルの受信が検出されなかったことが記憶される（Ｓ１２）。
【００５７】
そして、Ｓ１３を実行した後に、カウントが２か否か判断する（Ｓ１４）。カウントはＳ２３の手順で設定された２を保持しており、カウントは２であると判断される（Ｓ１４、ＹＥＳ）。
【００５８】
そして、Ｓ２及びＳ２１を実行し、カウントが１でないことが判断され（Ｓ２１、ＮＯ）、第三のチャンネルプラン（ＩＲＣ）における００５チャンネルの中心周波数が選局データとして設定される（Ｓ２４）。そして、カウントを１に設定し（Ｓ２５）、Ｓ７からＳ９が実行される。
【００５９】
そして、Ｓ９において、同調有りと検出されると（Ｓ９、ＹＥＳ）、スキップチャンネルオフ（ＳＫＩＰ  ＣＨ  ＯＦＦ）とする（Ｓ１０）。そして、現在のチャンネルのデータとして、第三のチャンネルプランと００５チャンネルと選局データとが記憶される。そして、カウントに１を設定する（Ｓ１１）。
【００６０】
次に、現在のチャンネルが１２５チャンネルでないことを判断し（Ｓ１３、ＮＯ）、カウントが２でないことを判断し（Ｓ１４、ＮＯ）、Ｓ１５を実行する。
【００６１】
また、Ｓ９において第三のチャンネルプランの００５チャンネルについて、同調有りと検出されない場合（Ｓ９、ＮＯ）、現在のチャンネルのデータとして、第三のチャンネルプランの００５チャンネルの受信が検出されなかったことが記憶される（Ｓ１２）。そして、Ｓ１３、Ｓ１４、Ｓ１５を実行する。
【００６２】
次に、現在のチャンネルとして００６チャンネルが設定され、００６チャンネルのプリセットを行う。００６チャンネルは、以上に説明した００５チャンネルをプリセットする手順と同じ手順を実行することによりプリセットされる。
【００６３】
次に、第一のチャンネルプラン（ＨＲＣ）の０９５チャンネルから０１５チャンネルの各々に対するプリセットを順に行う。これらの各チャンネルは、以上に説明した００２チャンネルをプリセットした手順と同じ手順を実行することによりプリセットすることができる。
【００６４】
次に、０１６チャンネルのプリセットを行う。現在のチャンネルが０１６チャンネルと判断されると、Ｓ２（Ｓ２、ＮＯ）及びＳ３（Ｓ３、ＹＥＳ）を実行し、カウントが１であるか否か判断する（Ｓ４）。
【００６５】
カウントが１である場合（Ｓ４、ＹＥＳ）、第二のチャンネルプラン（ＳＴＤ）の０１６チャンネルの中心周波数を選局データに設定する（Ｓ２２）。次に、カウントに２を設定し（Ｓ２３）、Ｓ２２で設定された選局データをチューナ２に送信する（Ｓ７）。
【００６６】
次に、Ｓ８を実行し、同調の有無を検出する（Ｓ９）。同調有りと検出されると（Ｓ９、ＹＥＳ）、スキップチャンネルオフ（ＳＫＩＰ  ＣＨ  ＯＦＦ）とし（Ｓ１０）、現在のチャンネルのデータとして、第二のチャンネルプランと０１６チャンネルと選局データとが記憶される。そして、Ｓ１１、Ｓ１３、Ｓ１４、Ｓ１５を実行する。
【００６７】
一方、Ｓ９において、同調有りと検出されない場合（Ｓ９、ＮＯ）、スキップチャンネルオン（ＳＫＩＰ  ＣＨ  ＯＮ）とする（Ｓ１２）。これにより、現在のチャンネルのデータとして、第二のチャンネルプランの０１６チャンネルが受信できないチャンネルであることが記憶される。
【００６８】
そして、Ｓ１３、Ｓ１４を実行し、Ｓ１４においてカウントが２であると判断すると（Ｓ１４、ＹＥＳ）、Ｓ２に戻り第一のチャンネルプランの０１６チャンネルのプリセットを行う。Ｓ２、Ｓ３、Ｓ４を実行し、Ｓ４においてカウントが１でないと判断されると（Ｓ４、ＮＯ）、カウントを１に設定する（Ｓ５）。
【００６９】
次に、第一のチャンネルプランの０１６チャンネルの中心周波数に１２５ｋＨｚ加えた周波数を選局データ（選局周波数）とし（Ｓ６）、この選局データをチューナ２に送信して（Ｓ７）、６００ｍｓ待機する（Ｓ８）。
【００７０】
次に、同調の有無を検出する（Ｓ９）。同調有りと検出されると（Ｓ９、ＹＥＳ）、スキップチャンネルオフ（ＳＫＩＰ  ＣＨ  ＯＦＦ）とする（Ｓ１０）。
【００７１】
これにより、現在のチャンネルのデータとして、第一のチャンネルプランの０１６チャンネルと選局データとが記憶される。そして、カウント（ＣＯＵＮＴ）に１を設定する（Ｓ１１）。
【００７２】
一方、Ｓ９において、同調有りと検出されない場合（Ｓ９、ＮＯ）、スキップチャンネルオン（ＳＫＩＰ  ＣＨ  ＯＮ）とする（Ｓ１２）。これにより、現在のチャンネルのデータとして、第一のチャンネルプランの０１６チャンネルが受信できないチャンネルであることが記録される。
【００７３】
次に、現在のチャンネルが１２５チャンネルでないことを判断し（Ｓ１３、ＮＯ）、カウントが２でないことを判断し（Ｓ１４、ＮＯ）、Ｓ１５を実行する。
【００７４】
次に、第一のチャンネルプランの０１７チャンネルから０４７チャンネルの各々に対するプリセットを順に行う。これらの各チャンネルは、以上に説明した００２チャンネルをプリセットした手順と同じ手順を実行することにより、プリセットすることができる。
【００７５】
次に、現在のチャンネルとして０４８チャンネルが設定され、０４８チャンネルのプリセットを行う。０４８チャンネルは、以上に説明した０１６チャンネルをプリセットした手順と同じ手順を実行することにより、プリセットすることができる。
【００７６】
次に、０４９チャンネルから１２５チャンネルの各々に対するプリセットを順に行う。これらの各チャンネルは、以上に説明した００２チャンネルをプリセットする手順と同じ手順を実行することにより、プリセットすることができる。
【００７７】
そして、１２５チャンネルのプリセットを行い、現在のチャンネルが１２５チャンネルであると判断されると（Ｓ１３、ＹＥＳ）、終了する（Ｓ２６）。これにより、００２チャンネルから１２５チャンネルのプリセットが終了する。
【００７８】
この自動選局装置１０によると、０１６チャンネルや０４８チャンネルのように、放送バンドが変わる最初のチャンネルについて、プリセットを行う基本とする第一のチャンネルプランより第二のチャンネルプランに変更してプリセットを行っている。これにより、放送バンドが変わる最初のチャンネルについて、チューナ２の受信の不安定を招くことなく、安定してプリセットを行うことができる。
【００７９】
一方、放送バンドが変わる０１６チャンネルや０４８チャンネルについて、そのまま第一のチャンネルプランに基づきプリセットしようとすると、安定してプリセットを行えないことがある。
【００８０】
即ち、チューナ２は、受信させようとするチャンネルが他の放送バンドに変わると、動作が不安定となり、設定された選局データが本来受信可能な範囲であっても受信できず、プリセットを行えない場合がある。
【００８１】
以上に説明した自動選局装置１０によると、放送バンドが変わる最初のチャンネルについて、プリセットの基本とする一のチャンネルプランから他のチャンネルプランに変更してプリセットを行うので、チューナ２の動作を不安定にさせることなく、プリセットを安定して確実に行うことができる。
【００８２】
また、この自動選局装置１０は、以上に説明したように、００５チャンネルや００６チャンネルについては、第一のチャンネルプランより第二のチャンネルプランに変更してプリセットを行っている。
【００８３】
この００５チャンネルや００６チャンネルは、以下に説明するように、チューナ２による受信が不安定になるチャンネルである。図２乃至図４より判るように、００５チャンネル及び００６チャンネル以外の他のチャンネルでは第一のチャンネルプランの各チャンネルの中心周波数が最も低いのに対し、この００５チャンネル及び００６チャンネルについては、第二のチャンネルプランのそれが最も低い。
【００８４】
これにより、００５チャンネルや００６チャンネルについては、第一のチャンネルプランに基づき受信しようとしても、誤って第二のチャンネルプランに基づく周波数によって受信する場合があり、受信が不安定になる。
【００８５】
このような受信が不安定になるチャンネルについて、基本とする一つのチャンネルプランから他のチャンネルプランに変更してプリセットを行うことにより、プリセットをより正確に行うことができる。
【００８６】
なお、以上の説明では、Ｓ６の手順において、チャンネルの受信を検出するための選局データとして、チャンネルの中心周波数に１２５ｋＨｚ加えて得られた周波数を設定した。この選局データは、チャンネルの中心周波数に１２５ｋＨｚを加えて得られる周波数に限られない。
【００８７】
即ち、選局データは、中心周波数に１２５ｋＨｚ加えた周波数以外にも、チューナ２や選局制御マイコン５の応答性及び中心周波数の数値に応じた所要の数値が採用されるのであり、特定のチャンネルの受信を検出するための所定の周波数に設定されればよい。
【００８８】
また、以上の説明では、Ｓ８においてチューナ２による受信の検出を行うまでに待機する時間を６００ｍｓとする例を挙げたが、この待機する時間は６００ｍｓに限定されない。即ち、この待機する時間は、チューナ２が受信できる程度に動作が安定するまでの十分な時間とすればよく、チューナ２の応答性に応じた所定の時間が適宜に採用される。
【００８９】
また、以上の図５による説明では、０１６チャンネル及び０４８チャンネルについて、第二のチャンネルプランによりプリセットを行い、第二のチャンネルプランに基づいて受信が検出されると、第一のチャンネルプランに基づいて受信を検出することなく、次のチャンネルのプリセットを行うとして説明した。この０１６チャンネル及び０４８チャンネルについて、第二のチャンネルプランに基づく受信を検出した後に、第一のチャンネルプランに基づいて受信するか否か検出することもできる。
【００９０】
また、以上の図５による説明では、０１６チャンネル及び０４８チャンネルについて、第二のチャンネルプランのプリセットを行った後に、第一のチャンネルプランのプリセットを行う例により説明した。この放送バンドが変わる０１６チャンネル及び０４８チャンネルについて、第一のチャンネルプランに基づくプリセットを先に行って受信が検出されない場合に、第二のチャンネルプランに基づくプリセットを行ってもよい。
【００９１】
なお、以上の０１６チャンネルや０４８チャンネルに対するプリセットを第一のチャンネルプランと第二のチャンネルプランの双方に基づいて行う場合、第二のチャンネルプランに基づいてプリセットを行った後に第一のチャンネルプランに基づいてプリセットを行うと、チューナ２の動作を安定させることができるので、より確実にプリセットを行うことができる。
【００９２】
また、以上の説明では、基本とするチャンネルプランを第一のチャンネルプランとし、第一のチャンネルプランに沿って各チャンネルのプリセットを行い、放送バンドが変わる０１６チャンネルや０４８チャンネルにおいて、第二のチャンネルプランでプリセットを行う例により説明した。
【００９３】
本発明を実施するにあたり、基本とするチャンネルプランを第二のチャンネルプランとし、第二のチャンネルプランに沿って各チャンネルをプリセットするとともに、放送バンドが変わる０１６チャンネルや０４８チャンネルで他の第一のチャンネルプランや第三のチャンネルプランに基づきプリセットを行うこともできる。
【００９４】
また、以上の説明では、外部メモリ６を設け、プリセットを行った結果を外部メモリ６に記憶させる例により説明した。本発明を実施するにあたり、必ずしも外部メモリ６を設ける必要はなく、プリセットを行った結果を選局制御マイコン５のＲＡＭに記憶させることもできる。
【００９５】
また、本発明にかかる自動選局装置によると、以上に具体的に例示したチャンネルプラン以外の他のチャンネルプランに基づくチャンネルについてもプリセットすることができる。
【００９６】
また、以上の説明では、チューナ２より出力された映像信号を選局制御マイコン５に直接に入力する例により説明した。本発明を実施するにあたり、検波回路や同期検出回路を設け、これらの回路を介して選局制御マイコン５がチューナ２による特定のチャンネルの受信を検出するようにしてもよい。
【００９７】
【発明の効果】
以上説明したように、本発明によると、各チャンネルのプリセットを行うにあたり、一つの放送バンドから他の放送バンドに変わる最初のチャンネルにおいてチューナの動作が不安定となることを防ぐことができる。これにより、全てのチャンネルにおいて、安定してプリセットを行うことができる。
【図面の簡単な説明】
【図１】本発明の一実施形態である自動選局装置のブロック図である。
【図２】チャンネルプランを示す図である。
【図３】チャンネルプランを示す図である。
【図４】チャンネルプランを示す図である。
【図５】チャンネルのプリセットを行う手順を示すフローチャートである。
【符号の説明】
１    アンテナ
２    チューナ
５    選局制御マイコン
６    外部メモリ
１０    自動選局装置
【図１】
2004193778.tif 000003
【図２】
2004193778.tif 000004
【図３】
2004193778.tif 000005
【図４】
2004193778.tif 000006
【図５】
2004193778.tif 000007